(57)【要約】      （修正有）【課題】プラスチックコア本体に開孔を設けることで、導電端子と空気との接触面積を増大させ導電端子のインピーダンスを向上させ、導電端子とケーブルとのインピーダンスがマッチする電気コネクタを提供する。【解決手段】電気コネクタは、プラスチックコア本体１０と複数の導電端子２０とを備える。前記プラスチックコア本体には、プラスチックコア本体の前後両面まで貫通する複数の端子孔１１と、プラスチックコア本体の上下両側に設置され且つ前記複数の端子孔に連通する複数の開孔１２を有する。また、前記複数の導電端子は、前記プラスチックコア本体の端子孔に挿設される。これにより、導電端子と空気との接触面積が増大され、導電端子の容量値を低下させインピーダンスを向上させる。【選択図】図２
0003145514.tif 000002
【実用新案登録請求の範囲】
【請求項１】
複数の端子孔と複数の開孔を有し、複数の端子孔がプラスチックコア本体の前後両面まで貫通し、複数の開孔がプラスチックコア本体の上下両側に設置され且つ前記複数の端子孔に連通するプラスチックコア本体と、
前記プラスチックコア本体の端子孔に挿設される複数の導電端子と、
を備えることを特徴とする電気コネクタ。
【請求項２】
前記プラスチックコア本体の後端には後プラグ座が係合され、前記後プラグ座には複数の端子槽を有し、前記複数の導電端子の後端がそれぞれ前記複数の端子槽に収納されることを特徴とする請求項１に記載の電気コネクタ。
【請求項３】
更に、前記プラスチックコア本体の外を覆う鉄ケースが備えられることを特徴とする請求項１に記載の電気コネクタ。
【請求項４】
前記鉄ケースは、上鉄ケースと下鉄ケースを備え、前記上鉄ケースが、前記下鉄ケースに係合されることを特徴とする請求項３に記載の電気コネクタ。
【請求項５】
前記鉄ケースの両側には、内側へ伸び前記プラスチックコア本体の裏面に抵当するストッパーがあることを特徴とする請求項３に記載の電気コネクタ。
【請求項６】
前記電気コネクタは、ディスプレイポート電気コネクタであることを特徴とする請求項１に記載の電気コネクタ。
【請求項７】
複数の端子孔と複数の開孔を有し、複数の端子孔がプラスチックコア本体の前後両面まで貫通し、複数の開孔がプラスチックコア本体の一側に設置され且つ複数の端子孔に連通するプラスチックコア本体と、
前記プラスチックコア本体の端子孔に挿設される複数の導電端子と、
を備えることを特徴とする電気コネクタ。
【請求項８】
前記電気コネクタは、ディスプレイポート電気コネクタであることを特徴とする請求項７に記載の電気コネクタ。
【考案の詳細な説明】
【技術分野】
【０００１】
本考案は、電気コネクタに関し、特に、プラスチックコア本体に開孔を有する電気コネクタに関する。
【背景技術】
【０００２】
様々の電子製品が普及するとともに、電子製品同士を連接するための部品である電気コネクタのニーズも増大する。如何に、電気コネクタの電気特性を良くして、高周波伝送（ｈｉｇｈ  ｆｒｅｑｕｅｎｃｙ  ｔｒａｎｓｍｉｓｓｉｏｎ）する際の信号を減衰させないことは、至急に解決しなければならない問題になる。
【０００３】
従来のプラグ型電気コネクタは、例えば、米国特許ＵＳ６、９９７、７３３の電気コネクタであって、プラスチックコア本体と複数の導電端子を備え、複数の導電端子が、前記プラスチックコア本体の端子孔に挿設され、各導電端子の後端が、各ケーブルの芯線に接続される。前記プラグ型電気コネクタは、ソケット型電気コネクタに挿設されると、互いに、電気的に接続される。これにより、前記ケーブル内の電気信号が前記プラグ型電気コネクタを介して前記ソケット型電気コネクタに接続される他の電子製品に伝送される。
【０００４】
しかし、前記従来のプラグ型電気コネクタは、次の欠点が残される。通常、ケーブルのインピーダンスと導電端子のインピーダンスとを比較すると、ケーブルのインピーダンスが大幅に高くて、ケーブルと導電端子とのインピーダンスがマッチしない。ケーブルの信号が導電端子に伝送されると、前記信号が比較的に減衰され易く、ディストーションになる。特に、前記電気コネクタが、高周波伝送に適用される場合、インピーダンスのミスマッチが信号の減衰に対する影響が大きくなる。また、信号減衰が、高周波信号伝送の品質に対する影響もより酷くなる。
【０００５】
本考案者は、前記欠点を解消するため、慎重に研究し、また、学理を活用して、有効に前記欠点を解消でき、設計が合理である本考案を提案する。
【考案の開示】
【考案が解決しようとする課題】
【０００６】
本考案の主な目的は、プラスチックコア本体に開孔を設けることで、導電端子と空気との接触面積を増大させ導電端子のインピーダンスを向上させ、導電端子とケーブルとのインピーダンスがマッチする電気コネクタを提供する。
【課題を解決するための手段】
【０００７】
本考案は、前記目的を達成するため、本考案による電気コネクタは、プラスチックコア本体と複数の導電端子とを備える電気コネクタであって、前記プラスチックコア本体には、複数の端子孔と複数の開孔を有する。前記複数の端子孔がプラスチックコア本体の前後両面まで貫通し、また、前記複数の開孔がプラスチックコア本体の上下両側に設置され且つ前記複数の端子孔に連通する。また、前記複数の導電端子は、前記プラスチックコア本体の前記端子孔に挿設される。
【０００８】
本考案によると、次のような効果が得られる。前記プラスチックコア本体に開孔が備えるので、導電端子がプラスチックコア本体に挿設された場合、導電端子と空気との接触面積が増大されることにより、有効に導電端子の容量値を低下させ、導電端子のインピーダンスを向上させ、導電端子とケーブルのインピーダンスがマッチできるようになる。
【０００９】
以下、図面を参照しながら、本考案の特徴や技術内容について詳しく説明するが、それらの図面は参考や説明のためのものであり、本考案はそれによって制限されることが無い。
【考案を実施するための最良の形態】
【００１０】
図１及び図２は、本考案の電気コネクタであって、プラスチックコア本体１０と、複数の導電端子２０と、後プラグ座３０と、鉄ケース４０が備える。前記電気コネクタは、主として、ディスプレイポートの電気コネクタに適用される。
【００１１】
図３と図４を参照すると、前記プラスチックコア本体１０は絶縁材料からなり、複数の端子孔１１と複数の開孔１２を備える。複数の端子孔１１は、水平に配列され、且つ前記プラスチックコア本体１０の前後両面まで貫通した。複数の開孔１２は、前記プラスチックコア本体１０の上下両側に設置され、且つ複数の端子孔１１に連通される。他の実施例において、複数の開孔１２は前記プラスチックコア本体１０の上側や下側の何れか一側だけ（図示せず）に設置されても良い。
【００１２】
複数の導電端子２０は、高導電率を有する金属材料からなり、順に、前記プラスチックコア本体１０の端子孔１１に挿設される。また、複数の導電端子２０の後端が、前記プラスチックコア本体１０の裏側から露出する。
【００１３】
前記後プラグ座３０も絶縁材料からなり、前記プラスチックコア本体１０の後端に係合される。前記後プラグ座３０は、舌片３１と複数の通孔３２と複数の端子槽３３を備える。前記舌片３１は前記後プラグ座３０の裏側から裏へ伸び出す。前記通孔３２は、水平に配列され且つ前記後プラグ座３０の前後両側に穿設された。前記通孔３２が水平に配列される位置が前記プラスチックコア本体１０の端子孔１１の位置に対応する。複数の端子槽３３は、前記舌片３１に設置され、複数の通孔３２に連通する。
【００１４】
前記後プラグ座３０が前記プラスチックコア本体１０の後端に嵌設されると、前記導電端子２０の後端が前記後プラグ座３０の通孔３２を通して、前記舌片３１の端子槽３３に収納される。
【００１５】
プラスチックコア本体１０と導電端子２０及び後プラグ座３０が組み立てた場合、プラスチックコア本体１０には複数の導電端子２０に対応する開孔１２が備えるので、前記導電端子２０と空気との接触面積が増大される。即ち、空気の誘電率が、プラスチックコア本体１０の誘電率より大幅に低くなるため、例えば、プラスチックコア本体１０の材料がプラスチックである場合、その誘電率が２．４乃至４の範囲内にある。また、空気の誘電率が１．００５４である。材料の誘電率と容量値とが正比例になるので、前記導電端子２０の容量値は空気との接触面積の増大とともに低下する。また、材料のインピーダンスと容量値とが、反比例になり、容量値が低いほどインピーダンスが高くなるので、前記導電端子２０のインピーダンスは容量値の低下に伴って高くなる。
【００１６】
そして、複数の導電端子２０の後端に、インピーダンスが比較的高いケーブル（図示せず）を接続すると、複数の導電端子２０とケーブルのインピーダンスとは差が大きくないので、インピーダンのスミスマッチが発生することもない。そのため、本考案に係る電気コネクタが、高周波伝送に適用される時、伝送される高周波信号は容易に減衰することなく、信号のディストーションが発生することが難くなる。
【００１７】
また、前記プラスチックコア本体１０はニーズに応じて開孔１２のサイズを簡単に調整することができる。開孔１２のサイズを大きくすると、導電端子２０のインピーダンスも増大され、異なるケーブルのインピーダンスと容易にマッチする。
【００１８】
図５は、本考案の第二実施例であり、第一実施例と比較すると、前記プラスチックコア本体１０の上下には、それぞれ２列の開孔１２が設けられる。導電端子２０は、２列の開孔１２により、空気との接触面積がもっと増大されて、インピーダンスが向上される。
【００１９】
図１と図２を参照しながら、プラスチックコア本体１０と導電端子２０と、後プラグ座３０とケーブル（図に未表示）が組み立てられてから、更に鉄ケース４０で前記プラスチックコア本体１０と後プラグ座３０及びケーブル先端を覆う。前記鉄ケース４０は、上鉄ケース４１と下鉄ケース４２を備える。組み立てる時、まず、上鉄ケース４１をプラスチックコア本体１０の先端からプラスチックコア本体１０に嵌設し、そして下鉄ケース４２を、上鉄ケース４１の下方から、前記上鉄ケース４１の両側に嵌入する。これにより、前記プラスチックコア本体１０と後プラグ座３０及びケーブル先端が、上鉄ケース４１と下鉄ケース４２との間に挟まれる。
【００２０】
また、前記鉄ケース４０の両側には、それぞれ、内へ伸びるストッパー４３がある。ストッパー４３は上鉄ケース４１か下鉄ケース４２の何れかに設置されてもよいが、本考案において、ストッパー４３は上鉄ケース４１に設置される。前記ストッパー４３は前記プラスチックコア本体１０の裏側に抵当することで、前記プラスチックコア本体１０が鉄ケース４０内に摺動することを防止する。これにより、プラスチックコア本体１０が、安定的に鉄ケース４０に固定される。
【００２１】
本考案によると、次のような効果が得る。前記プラスチックコア本体１０に開孔１２が備えるので、導電端子２０がプラスチックコア本体１０に挿設された場合、導電端子２０と空気との接触面積が増大されることにより、有効に導電端子２０の容量値を低下させ、導電端子２０のインピーダンスを向上させ、導電端子とケーブルのインピーダンスがマッチできるとうになる。
【００２２】
以上は、ただ、本考案のより良い実施例であり、本考案は、それによって制限されることが無い。本考案に係る実用新案登録請求の範囲や明細書の内容に基づいて行った等価の変更や修正は、全て本考案の実用新案登録請求の範囲内に含まれる。
【図面の簡単な説明】
【００２３】
【図１】本考案に係る電気コネクタの斜視図
【図２】本考案に係る電気コネクタの分解斜視図
【図３】本考案に係る電気コネクタのプラスチックコア本体の開孔の概念図
【図４】本考案に係る電気コネクタのプラスチックコア本体の開孔の他の概念図
【図５】本考案に係る電気コネクタの第二実施例のプラスチックコア本体の開孔の概念図
【符号の説明】
【００２４】
１０  プラスチックコア本体
１１  端子孔
１２  開孔
２０  導電端子
３０  後プラグ座
３１  舌片
３２  通孔
３３  端子槽
４０  鉄ケース
４１  上鉄ケース
４２  下鉄ケース
４３  ストッパー
【図１】
0003145514.tif 000003
【図２】
0003145514.tif 000004
【図３】
0003145514.tif 000005
【図４】
0003145514.tif 000006
【図５】
0003145514.tif 000007